(57)【要約】【課題】１対多のパケット通信における各端末間の遅延を予め測定して、その遅延量に合わせてシャッターから遅延量分前の画像を保存することにより、遅延の無いリアルタイムの複数台による遠隔撮影を実現する。【解決手段】カメラ部を備えた携帯端末装置１が、他の複数の携帯端末装置との間で、１対多の携帯端末装置間のパケット通信を可能に通信ネットワーク３に接続される。各携帯端末装置１は、他の携帯端末装置のカメラ部でシャッターを動作させる信号を送出することができる。他の携帯端末装置からシャッターを動作させる信号が送信されると、その信号を受信した携帯端末装置では、自身の携帯端末装置から通信相手先の端末装置に対する信号の遅延量を算出し、その遅延量を考慮して、カメラ部により撮影した画像データを記録する。これにより、複数の携帯端末装置で遅延の無い画像データを保存することができる。【選択図】図２
2010021935.tif 000002
【特許請求の範囲】
【請求項１】
カメラ部を備えた携帯端末装置であって、
他の複数の携帯端末装置との間で、１対多の端末装置間のパケット通信を可能とするパケット通信手段と、
該パケット通信手段を用いて、他の携帯端末装置のカメラ部でシャッターを動作させる信号を送出するシャッター動作指示手段と、
他の携帯端末装置から自身の携帯端末装置へ送信する信号の遅延量を算出するする遅延量算出手段とを有し、
他の携帯端末装置からシャッターを動作させる信号を受信した際に、前記遅延量算出手段で算出した遅延量だけ遡った時点の画像データを記録することを特徴とする携帯端末装置。
【請求項２】
請求項１に記載の携帯端末装置において、
自身の携帯端末装置と、該携帯端末装置がネットワークを介して接続されるサーバとの間の信号の遅延量を測定する遅延量測定手段と、
該遅延測定手段が測定した遅延量を他の携帯端末装置に送信する遅延量送信手段とを有し、
前記遅延量算出手段は、他の携帯端末装置から送信された該他の携帯端末装置の遅延量と、前記遅延量測定手段により測定した遅延量とに基づいて、自身の携帯端末装置と前記他の携帯端末装置との間の信号の遅延量を算出することを特徴とする携帯端末装置。
【請求項３】
請求項１または２に記載の携帯端末装置において、
前記カメラ部で撮影した画像データを更新しながら一時保存する画像データ取得手段と、
該画像データ取得手段で一時保存した複数枚の画像データから、特定の画像データを抽出して所定の記録手段に記録する画像データ記録手段とを有し、
前記画像データ記録手段は、他の携帯端末装置から送信された遅延量に従って、前記他端末装置からのシャッターを動作させる信号の受信から、前記遅延量だけ時間を遡った時点の画像データを記録することを特徴とする携帯端末装置。
【請求項４】
請求項３に記載の携帯端末装置において、前記画像データ取得手段は、前記複数枚の画像を取得して一時保存する間隔を、前記遅延量に基づいて可変設定することを特徴とする携帯端末装置。
【請求項５】
請求項１〜４のいずれか１に記載の携帯端末装置において、
信号の遅延が生じない無線通信による信号の送受信を可能とする無線通信手段と、
他の携帯端末装置に対して、前記パケット通信手段を用いて一定音を送信するとともに、前記他の携帯端末装置に対して前記無線通信手段を用いて前記一定音を送信する手段とを有し、
前記遅延量算出手段は、他の携帯端末装置から前記パケット通信手段により送信された一定音と、前記無線通信手段により送信された一定音とに基づいて、前記遅延量を算出することを特徴とする携帯端末装置。
【発明の詳細な説明】
【技術分野】
【０００１】
本発明は、携帯端末装置に関し、より詳細には、カメラ部を備えて、１対多のパケット通信により複数の携帯端末で同時に撮影を行うようにした携帯端末装置に関する。
【背景技術】
【０００２】
従来、カメラ付の携帯端末装置で、遠隔撮影をするための技術を開示するものとして、例えば特許文献１がある。特許文献１には、ネットワークを通じて情報通信を行う携帯端末において、所定の事象が生じたことに応答して自動的に撮影を行う撮影手段を備えた携帯端末で、その所定の事象が、特定の機器から携帯端末に送信される撮影指令とした発明が開示されている。そしてその所定の事象を、或る時刻からの所定時間の経過、及び携帯端末が設置されている環境の変化としている。つまりこの携帯端末は、シャッター情報で撮影したり、ある時刻からの所定時間が経過したときに自動撮影を行うようにしたものである。
【特許文献１】特開２００５−５１５５２号公報
【発明の開示】
【発明が解決しようとする課題】
【０００３】
特許文献１の発明では、携帯端末の通信を音声通信のようにリアルタイム通信で行う場合、あるいはBluetooth等の近距離無線通信やIrSS（Ir Simple Shot）のような赤外光通信の場合には、リアルタイムの撮影が可能である。しかしながら、音声通信の場合には複数台の携帯端末が接続できなかったり、通信時間に応じて課金されてしまい、ユーザの費用がかさんだりする、等の問題が生じる。また、Bluetooth等の近距離無線通信や、IrSSのような赤外光通信の場合には、数メートル以内というような通信距離の制限が発生し、複数台の携帯端末が互いに離れて撮影することができない、という問題があった。
【０００４】
Push-to-Talkのような１対多のパケットにより通信を実施した場合、上記のような問題を解決することができるが、撮影端末にシャッター情報が到達するまでには遅延が発生し、ユーザが撮影したいシーンを確実に撮影できない、などの問題が生じる。例えば、運動会のゴールシーンなどで、いろいろな角度から複数台の携帯端末で撮影する場合に、複数台の携帯端末のカメラによる撮影シーンがずれてしまって、ユーザの意図と反するようなものしか撮影できない等の問題となる。また、撮影に当たっては、撮影の時刻を設定しなければならず、例えば運動会のゴールシーンのようにテープをカットする前後をいろいろな角度から撮影する、というようなことはできなかった。
【０００５】
本発明は、上述のごとき実情に鑑みてなされたもので、１対多のパケット通信における各携帯端末装置間の遅延を予め測定して、その遅延量に合わせてシャッターから遅延量分前の画像を保存することにより、遅延の無いリアルタイムの複数台による遠隔撮影を実現する携帯端末を提供することを目的とするものである。
【課題を解決するための手段】
【０００６】
上記課題を解決するために、本発明の第１の技術手段は、カメラ部を備えた携帯端末装置であって、他の複数の携帯端末装置との間で、１対多の端末装置間のパケット通信を可能とするパケット通信手段と、パケット通信手段を用いて、他の携帯端末装置のカメラ部でシャッターを動作させる信号を送出するシャッター動作指示手段と、他の携帯端末装置から自身の携帯端末装置へ送信する信号の遅延量を算出するする遅延量算出手段とを有し、他の携帯端末装置からシャッターを動作させる信号を受信した際に、遅延量算出手段で算出した遅延量だけ遡った時点の画像データを記録することを特徴としたものである。
【０００７】
第２の技術手段は、第１の技術手段において、自身の携帯端末装置と、携帯端末装置がネットワークを介して接続されるサーバとの間の信号の遅延量を測定する遅延量測定手段と、遅延測定手段が測定した遅延量を他の携帯端末装置に送信する遅延量送信手段とを有し、遅延量算出手段は、他の携帯端末装置から送信された他の携帯端末装置の遅延量と、遅延量測定手段により測定した遅延量とに基づいて、自身の携帯端末装置と他の携帯端末装置との間の信号の遅延量を算出することを特徴としたものである。
【０００８】
第３の技術手段は、第１または２の技術手段において、カメラ部で撮影した画像データを更新しながら一時保存する画像データ取得手段と、画像データ取得手段で一時保存した複数枚の画像データから、特定の画像データを抽出して所定の記録手段に記録する画像データ記録手段とを有し、画像データ記録手段は、他の携帯端末装置から送信された遅延量に従って、他端末装置からのシャッターを動作させる信号の受信から、遅延量だけ時間を遡った時点の画像データを記録することを特徴としたものである。
【０００９】
第４の技術手段は、第３の技術手段において、画像データ取得手段は、複数枚の画像を取得して一時保存する間隔を、遅延量に基づいて可変設定することを特徴としたものである。
【００１０】
第５の技術手段は、第１〜４のいずれかの技術手段において、信号の遅延が生じない無線通信による信号の送受信を可能とする無線通信手段と、他の携帯端末装置に対して、パケット通信手段を用いて一定音を送信するとともに、他の携帯端末装置に対して無線通信手段を用いて一定音を送信する手段とを有し、遅延量算出手段は、他の携帯端末装置からパケット通信手段により送信された一定音と、無線通信手段により送信された一定音とに基づいて、遅延量を算出することを特徴としたものである。
【発明の効果】
【００１１】
本発明によれば、１対多のパケット通信における各携帯端末装置間の遅延量を予め測定して、その遅延量に合わせてシャッターから遅延量分前の画像を保存することにより、遅延の無いリアルタイムの複数台による遠隔撮影を実現する携帯端末を提供する。
本発明により、Push-to-Talkのような１対多のパケットによる遅延の発生する通信で、複数台の携帯端末装置を使用して同一シーンの撮影を簡単に行うことができ、ユーザは費用をかけることなく複数台の携帯端末装置による遠隔撮影を実現でき、いろいろな角度からの同一タイミングでの撮影が可能となる。
【発明を実施するための最良の形態】
【００１２】
以下、添付図面を参照して、本発明にかかる実施形態を詳細に説明する。なお、実施形態を説明する各図において、同様の機能を有する部分には同じ符号を付け、その繰り返しの説明は省略するものとする。
【００１３】
（実施形態１）
図１は、本発明による携帯端末装置の一実施形を説明するためのブロック図である。携帯端末装置１は、カメラ部１１、一時保存部１２、画像撮影処理部１３、制御部１４、パケット通信処理部１５、無線通信部１６、画像表示部１７，操作部１８、音声入出力部１９、及びメモリー２０を備えている。
カメラ部１１は、撮影機能と、その撮影機能の動作を制御するカメラ制御部を備えている。そして、カメラ部１１により撮影された画像データは、一時保存部１２により保存され、画像撮影処理部によって画像処理が施され制御部１４に送られる。
一時保存部１２では、カメラ部１１で撮影した画像を更新しながら保存し、制御部１４では、図示しないシャッター動作に応じて一時保存部１２の画像データを取得してメモリー２０に保存することができる。
【００１４】
制御部１４は、メモリー２０に記憶されている各種プログラムに基づいて、装置全体を制御するＣＰＵなどの制御手段である。メモリー２０は、ＲＯＭ及びＲＡＭを含むもので、ＲＯＭには、制御部１４が各部を制御するための制御プログラム、各種の初期設定値やユーザ設定値、携帯端末装置１０に搭載される各種のアプリケーション用のプログラムなどを格納している。また、ＲＡＭは、制御部１４によるデータ処理時のワークエリアとして使用される。
【００１５】
画像表示部１７は、液晶ディスプレイ等による表示デバイスであり、制御部１４から供給された画像信号に基づいて画像や文字等を表示させる。また、操作部１８は、携帯端末装置１０に設けられているキーやボタン等の操作入力手段であり、それらの操作入力手段に対するユーザ操作に応じて操作信号を発生して制御部１４に送る。
音声入出力部１９は、無線通信部１６で受信され復号された通話音声データを出力するスピーカと、音声データとして無線通信部１６から送信させる音声を入力するためのマイクとを含んでいる。
【００１６】
無線通信部１６は、通話やパケット通信のための信号電波の送受信を行うもので、無線送受信信号の周波数変換、変調、復調等を行う。また、パケット通信処理部１５は、パケット通信の信号処理を行う。本実施例では、Push-to-Talk（ＰｏＣ）による１対多のパケット通信が可能に構成される。
【００１７】
上記のごとくの構成の携帯端末装置１は、無線通信部１６により、他の複数の携帯端末装置との間でPush-to-Talk（ＰｏＣ）による１対多の端末装置間のパケット通信を可能とする。これにより本発明のパケット通信手段が実現される。そして、携帯端末装置１の制御部１４は、このパケット通信手段を用いて、他の携帯端末装置のカメラ部でシャッターを動作させる信号を送出するともに、他の携帯端末装置から自身の携帯端末装置へ送信する信号の遅延量を算出する制御を行う。これにより、本発明のシャッター動作指示手段と、遅延量算出手段とが実現される。
【００１８】
携帯端末装置１の制御部１４は、遅延量を算出するに際して、自身の携帯端末装置１と、携帯端末装置１がネットワークを介して接続されるサーバとの間の信号の遅延量を測定し、その遅延量を他の携帯端末装置に送信する制御を行う。そして、遅延量の算出に際しては、他の携帯端末装置から送信された遅延量と、測定した自身の遅延量とに基づいて、自身の携帯端末装置と他の携帯端末装置との間の信号の遅延量を算出する。これらの制御により、本発明の遅延量測定手段と、遅延量送信手段とが実現される。
【００１９】
一時保存部１２では、カメラ部１１で撮影した画像データを更新しながら、シャッターが動作する前後の複数枚の画像データを取得して一時保存する。これにより本発明の画像データ取得手段が実現される。一時保存部１２の動作は、制御部１４に従う画像撮影処理部１３によって制御される。また画像撮影処理部１３では、制御部１４による制御に従って、一時保存部１２に一時保存した複数枚の画像データから、特定の画像データを抽出して所定の記録手段であるメモリー２０に記録する処理を行う。これにより本発明の画像データ記録手段が実現される。この画像データ記録手段は、他の携帯端末装置から送信された遅延量に従って、他の携帯端末装置からのシャッターを動作させる信号の受信から、遅延量だけ時間を遡った時点の画像データを抽出してメモリー２０に記録する処理を行う。
【００２０】
図２は、本発明による携帯端末装置を用いた通信システムを概念的に示す図である。通話システムは、上記図１に示すごとくの構成を持った携帯端末装置１が複数台接続される通信ネットワーク３と、通信ネットワーク３に接続するサーバ２とを有している。ここでは、Push-to-Talk（ＰｏＣ）による通信を実行するために、通信ネットワーク３としては、ＩＰネットワークが適用でき、サーバ２としては、携帯端末装置１間をＩＰネットワーク上で通話可能にしたＶｏＩＰ（Voice over IP）をベースにしたＰｏＣの発言権を管理するＰｏＣサーバが適用できる。
【００２１】
このような通信システムでは、通信システムに備えられているサーバ２（ＰｏＣサーバ）から発言権を取得したユーザが送話できる。発言権はサーバ２にて管理され、サーバ２では、発言権を要求してきた携帯端末装置１に対して発言権を与える。そして、当該携帯端末装置１から、発言権を開放する旨が通知された場合には、通信に参加している全ての携帯端末装置１に対して発言権が開放された旨を通知し、次の発言権の要求を待つ。またサーバ２は、さらに、通信を行うメンバーの登録、メンバーの「不在」や「在室」などの参加可否情報の把握機能（プレセンス機能）を有している。
【００２２】
図３及び図４は、本発明による携帯端末装置における制御部の処理例を説明するためのフローチャートである。ここでは、図１の構成を持った携帯端末装置１がPush-to-Talk接続により、図２の構成の通信システムを構成しているものとする。通信ネットワーク３には、携帯端末装置１が３台（Ａ〜Ｃ）接続される。そして、Push-to-Talk接続でメンバーになった順番がＡ、Ｂ、Ｃの順番であったものとする。以下では、説明のために３つの携帯端末装置（Ａ〜Ｃ）を単にＡ端末、Ｂ端末、Ｃ端末とする。
【００２３】
このような通信システムを構成する場合、Ａ端末，Ｂ端末，Ｃ端末は、それぞれサーバ２に接続される。このとき各端末間は、サーバ２との接続経路に応じて信号の遅延時間が異なる。そこで各端末において遅延時間（遅延量）を測定し、シャッターを切った時にその遅延時間を考慮して画像データを取得する。このときの処理を図３及び図４を参照しながら説明する。
【００２４】
まず、Ａ端末，Ｂ端末，及びＣ端末は、それぞれサーバ２との間の信号の遅延時間の測定を行う（ステップＳ１，Ｓ２１，Ｓ３１）。このときに、Ａ端末，Ｂ端末，Ｃ端末のそれぞれとサーバ２との遅延は、Ａ端末，Ｂ端末，Ｃ端末のそれぞれからサーバ２に対して信号を送出し、その応答がサーバ２から帰ってくるまでの時間によって測定する。
【００２５】
そしてＡ端末では、測定したＡ端末とサーバ２との遅延を、他のメンバーのＢ端末，Ｃ端末に送信する（ステップＳ２）。
Ｂ端末では、Ｂ端末自身とサーバ２との遅延を測定した後、Ａ端末とサーバ２との遅延の受信を待ち（ステップＳ２２）、Ａ端末とサーバ２との遅延を受信すると、その受信結果を記憶する（ステップＳ２３）。そしてＢ端末では、測定したＢ端末とサーバ２との遅延を、他のメンバーのＡ端末，Ｃ端末に送信する（ステップＳ２４）。
【００２６】
一方、Ｃ端末では、Ｃ端末自身とサーバ２との遅延を測定した後、Ａ端末とサーバ２との遅延の受信を待ち（ステップＳ３２）、Ａ端末とサーバ２との遅延を受信すると、その受信結果を記憶する（ステップＳ３３）。そしてさらにＢ端末とサーバ２との遅延の受信を待ち（ステップＳ３４）、Ｂ端末とサーバ２との遅延を受信すると、その受信結果を記憶する（ステップＳ３５）。そしてＣ端末では、測定したＣ端末とサーバ２との遅延を、他のメンバーのＡ端末，Ｂ端末に送信する（ステップＳ３６）。次にＣ端末では、得られた遅延情報から各端末間の遅延を算出して記憶する（ステップＳ３７）。
【００２７】
Ａ端末では、ステップＳ２で自身の遅延を送信した後、Ｂ端末とサーバ２との遅延の受信を待ち（ステップＳ３）、Ｂ端末とサーバ２との遅延を受信すると、その受信結果を記憶する（ステップＳ４）。そしてさらにＣ端末とサーバ２との遅延の受信を待ち（ステップＳ５）、Ｃ端末とサーバ２との遅延を受信すると、その受信結果を記憶する（ステップＳ６）。そしてＡ端末では、得られた遅延情報から各端末間の遅延を算出して記憶する（ステップＳ７）。
【００２８】
同様に、Ｂ端末では、ステップＳ２４で自身の遅延を送信した後、Ｃ端末とサーバ２との遅延の受信を待ち（ステップＳ２５）、Ｃ端末とサーバ２との遅延を受信すると、その受信結果を記憶する（ステップＳ２６）。そしてＢ端末では、得られた遅延情報から各端末間の遅延を算出して記憶する（ステップＳ２７）。
このように各端末におけるサーバとの遅延測定の結果を、他のメンバーに相互に送信することで、各端末では、他のメンバーから送信された遅延時間を記憶保持しておくことができる。
【００２９】
ここで、Ａ端末でカメラのシャッター（シャッターボタン）が押下され、撮影が行われると（ステップＳ８−ｙｅｓ）、Ａ端末では、他のメンバーのＢ端末、Ｃ端末に対して、シャッターが押下されたことを示すシャッター信号を送信する（ステップＳ９）。そして、同時に自身の画像撮影処理部１３に対してシャッター処理を行うよう伝える（ステップＳ１０）。この後Ａ端末では、シャッター処理により撮影した画像をメモリー２０に保存する。
【００３０】
Ａ端末でシャッターが押されたという信号を受けたＢ端末では（ステップＳ２８−ｙｅｓ）、Ａ端末からＢ端末までの遅延時間を計算し、自身の画像撮影処理部１３へ遅延時間とシャッター処理を通知する（ステップＳ２９）。同様にＡ端末でシャッターが押されたという信号を受けたＣ端末では（Ｓ３８−ｙｅｓ）、Ａ端末からＣ端末までの遅延時間を計算し、自身の画像撮影処理部１３へ遅延時間とシャッター処理を通知する（ステップＳ３９）。
【００３１】
Ｂ端末及びＣ端末の画像撮影処理部１３では、一時保存部１２のデータ更新を止め、遅延時間分だけ前のフレームの画像データを読み出して処理を行う。制御部１４ではその画像データをＢ端末、及びＣ端末の撮影画像としてメモリー２０に保存する（ステップＳ３０，Ｓ４０）。
このような処理により、予め測定した遅延時間を考慮して撮影画像データをメモリー２０に保存することにより、各端末でほぼ同じタイミングの撮影画像を取得することができ、複数の端末間で遅延の無い画像データを保存することができる。
【００３２】
（実施形態２）
図５は、本発明による携帯端末装置の他の実施形を説明するためのブロック図である。本例では、カメラ部１１は、制御部１４からの信号を処理する信号処理部１１ａと、タイミング信号を発生するタイミング信号発生部１１ｃと、センサー１１ｂとが備えられている。他の構成要素は、図１と同様の機能を備えている。
【００３３】
カメラ部１１は、所定の固定フレームレート（例えば１５フレーム／ｓｅｃや３０フレーム／ｓｅｃ）で静止画を撮影している。このときにセンサー１１ｂから撮影データを読み出すために、タイミング信号発生部１１ｃでは、上記フレームレートで画像を読み出すための読み出し信号と信号処理のためのタイミング信号を生成している。ここでは信号処理得１１ａからタイミング信号発生部１１ｃに対してフレームレートを通知している。
【００３４】
図６は、本発明による携帯端末装置における制御部の他の処理例を説明するためのフローチャートである。
ここでは、図５の構成を持った帯端末装置１（端末とする）がPush-to-Talk接続により、図２の構成の通信システムを構成しているものとする。そして図６のフローチャートでは、それぞれの端末が同様に実行する処理例を示している。
まず各端末では、遅延測定を行う（ステップＳ４１）。ここでは、上記実施形態１と同様に、各端末では、自身とサーバ２との遅延時間を測定し、その結果を他の接続メンバーの端末に送信する。そして各端末では、測定した自身の遅延時間と、他の端末から送信された他の端末の遅延時間とを取得する。
【００３５】
各端末の制御部１４では、自身の遅延測定と、他の端末からの遅延時間の取得とを完了すると、他の端末と自身との間の遅延時間の公倍数の逓倍、または逓倍近辺となるフレームレートを算出する。
そして、そのフレームレートをカメラ部１１の信号処理部１１ａに通知する。信号処理部１１ａでは、通知されたフレームレートを実現するデータをタイミング信号発生部１１ｂに設定し、センサー１１ｃの駆動・信号処理のタイミングパルスを作成する（ステップＳ４３）。
【００３６】
ここでは、カメラ部１１は、撮影の信号がきたときに遅延の量に合うように、フレームレートを設定する。例えば、遅延時間が１．１ｓｅｃだった場合、１５フレーム／ｓｅｃでは１６フレームで１．０７ｓｅｃ、１７フレームで１．１３ｓｅｃずれるが、フレームレートを１０フレーム／ｓｅｃにすることで、１１フレームで１．１ｓｅｃとなって、遅延時間に合う撮影が可能となる。このときにタイミング信号発生部１１ｂでは、１０フレーム／ｓｅｃで画像を読み出すための読み出し信号と、信号処理のためのタイミング信号を作成する。
【００３７】
そして、各端末の制御部１４では、信号処理部１１ａに設定したフレームレートと、算出した端末間の遅延時間とから、最低保存するシャッター前後の保存枚数を一時保存部１２に通知する（ステップＳ４４）。
その後、端末の制御部１４が、他の端末におけるシャッター押下の信号を受信すると（ステップＳ４５−ｙｅｓ）、端末間の遅延時間とフレームレートから選定される画像(何フレーム前の画像か)の指定と、シャッター処理とを画像撮影処理部１３に対して通知する（ステップＳ４６）。画像撮影処理部１３では、一時保存部１２の更新を止め、遅延時間分だけ前のフレームの画像データを読み出して処理を行う。制御部１４ではその画像データをメモリー２０に保存する。
このような処理により、予め測定した遅延時間を考慮して撮影画像データをメモリー２０に保存することにより、各端末で同じタイミングの撮影画像を取得することができ、遅延の無い画像データを保存することができる。また、本実施例の処理によって、複数枚の画像を取得して一時保存部１２に保存するときの画像データの間隔を、遅延量に基づいて可変設定することができる。
【００３８】
（実施形態３）
図７は、本発明による携帯端末装置の更に他の実施形を説明するためのブロック図である。本例では、携帯端末装置１には、近距離無線通信部２１が備えられ、端末同士で近距離無線通信を行うことが可能としている。近距離無線通信部２１には、例えばBluetooth等が適用される。他の構成要素は、図１と同様である。
【００３９】
図８は、本発明による携帯端末装置を用いた通信システムの他の例を概念的に示す図である。通信システムは、上記図７に示すごとくの構成を持った携帯端末装置１が複数接続される通信ネットワーク３と、通信ネットワーク３に接続するサーバ２とを有している。ここでは、Push-to-Talk（ＰｏＣ）による通信を実行するために、通信ネットワーク３は、ＩＰネットワークであり、サーバ２は、携帯端末装置１間をＩＰネットワーク上で通話可能にしたＶｏＩＰ（Voice over IP）をベースにしたＰｏＣの発言権を管理するＰｏＣサーバである。そして、図２の構成に加えて、携帯端末装置１が備える近距離無線通信部２１により、携帯端末装置１同士の近距離無線通信４が可能となっている。
【００４０】
図９及び図１０は、本発明に係る携帯端末装置における制御部の更に他の処理例を説明するためのフローチャートである。ここでは、図７の構成を持った携帯端末装置１がPush-to-Talk接続により、図８の構成の通信システムを構成しているものとする。携帯端末装置１は、Ａ〜Ｃの３台が接続され、Push-to-Talk接続でメンバーになった順番がＡ、Ｂ、Ｃの順番であったものとする。これらの携帯端末装置１をＡ端末、Ｂ端末、Ｃ端末として説明する。
【００４１】
このような通信システムを構成する場合、Ａ端末，Ｂ端末，Ｃ端末は、それぞれサーバ２に接続される。このとき各端末間は、サーバ２との接続経路に応じて遅延時間が異なる。そこで各端末においてパケット通信と近距離無線通信とを併用して遅延時間を測定し、シャッターを切った時にその遅延を考慮して画像データを取得する。このときの処理を図８を参照しながら説明する。
【００４２】
まず、第１のメンバーであるＡ端末が、基準信号となる規定音Ａを近距離無線とパケット通信（Push-to-Talk接続）の両方でほぼ同時に送信する（ステップＳ５１）。他のメンバーであるＢ端末とＣ端末は、近距離無線で規定音Ａを受信すると（ステップＳ７１−ｙｅｓ、ステップＳ９１−ｙｅｓ）、Ｂ端末及びＣ端末ではそれぞれタイマーをスタートさせる（ステップＳ７２，Ｓ９２）。
そしてその後、Ｂ端末とＣ端末では、パケット通信（Push-to-Talk接続)で規定音Ａを受信した時点でタイマーを停止させ、その時間を遅延時間として記憶する（ステップＳ７３〜７５，ステップＳ９３〜Ｓ９５）。
【００４３】
次にＢ端末が同様の処理を行って遅延時間を記憶する。すなわち、第２のメンバーであるＢ端末が、基準信号となる規定音Ｂを近距離無線とパケット通信（Push-to-Talk接続）の両方でほぼ同時に送信する（ステップＳ７６）。そして他のメンバーであるＡ端末とＣ端末は、近距離無線で規定音Ｂを受信すると（ステップＳ５２−ｙｅｓ、ステップＳ９６−ｙｅｓ）、Ａ端末及びＣ端末ではそれぞれタイマーをスタートさせる（ステップＳ５３，Ｓ９７）。そしてその後、Ａ端末とＣ端末では、パケット通信（Push-to-Talk接続)で規定音Ｂを受信した時点でタイマーを停止させ、その時間を遅延時間として記憶する（ステップＳ５４〜５６，ステップＳ９８〜Ｓ１００）。
【００４４】
最後にＣ端末が同様の処理を行って遅延時間を記憶する。すなわち、第３のメンバーであるＣ端末が、基準信号となる規定音Ｃを近距離無線とパケット通信（Push-to-Talk接続）の両方でほぼ同時に送信する（ステップＳ１０１）。そして他のメンバーであるＡ端末とＢ端末は、近距離無線で規定音Ｃを受信すると（ステップＳ５７−ｙｅｓ、ステップＳ７７−ｙｅｓ）、Ａ端末及びＢ端末ではそれぞれタイマーをスタートさせる（ステップＳ５８，Ｓ７８）。そしてその後、Ａ端末とＢ端末では、パケット通信（Push-to-Talk接続)で規定音Ｃを受信した時点でタイマーを停止させ、その時間を遅延時間として記憶する（ステップＳ５９〜Ｓ６１，ステップＳ７９〜Ｓ８１）。
【００４５】
この後、図３の場合と同様の処理を実行することができる。つまり、Ａ端末でシャッターボタンが押下されると、Ａ端末では、Ｂ端末、Ｃ端末に対して、シャッターが押下されたことを示すシャッター信号を送信し、自身の画像撮影処理部１３に対してシャッター処理を行うよう伝える。そしてＡ端末では、シャッター処理により撮影した画像をメモリー２０に保存する。一方、Ａ端末でシャッターが押されたという信号を受けたＢ端末及びＣ端末では、Ａ端末からの遅延時間を計算し、自身の画像撮影処理部１３へ遅延時間とシャッター処理を通知する。そしてＢ端末及びＣ端末の画像撮影処理部１３では、一時保存部１２のデータ更新を止め、遅延時間分だけ前のフレームのデータを読み出して処理を行う。制御部１４ではそのデータをＢ端末の撮影画像としてメモリー２０に保存する。
このような処理により、予め測定した遅延時間を考慮して撮影画像データをメモリー２０に保存することにより、各端末で同じタイミングの撮影画像を取得することができ、遅延の無い画像データを保存することができる。
【図面の簡単な説明】
【００４６】
【図１】本発明による携帯端末装置の一実施形を説明するためのブロック図である。
【図２】本発明による携帯端末装置を用いた通信システムを概念的に示す図である。
【図３】本発明による携帯端末装置における制御部の処理例を説明するためのフローチャートである。
【図４】本発明による携帯端末装置における制御部の処理例を説明するためのフローチャートで、図４に続く図である。
【図５】本発明による携帯端末装置の他の実施形を説明するためのブロック図である。
【図６】本発明による携帯端末装置における制御部の他の処理例を説明するためのフローチャートである。
【図７】本発明による携帯端末装置の更に他の実施形を説明するためのブロック図である。
【図８】本発明による携帯端末装置を用いた通信システムの他の例を概念的に示す図である。
【図９】本発明に係る携帯端末装置における制御部の更に他の処理例を説明するためのフローチャートである。
【図１０】本発明に係る携帯端末装置における制御部の更に他の処理例を説明するためのフローチャートで、図９に続く図である。
【符号の説明】
【００４７】
１…携帯端末装置、２…サーバ、３…通信ネットワーク、４…近距離無線通信、１０…携帯端末装置、１１…カメラ部、１１ａ…信号処理部、１１ｂ…タイミング信号発生部、１１ｃ…センサー、１２…一時保存部、１３…画像撮影処理部、１４…制御部、１５…パケット通信処理部、１６…無線通信部、１７…画像表示部、１８…操作部、１９…音声入出力部、２０…メモリー、２１…近距離無線通信部。
【図１】
2010021935.tif 000003
【図２】
2010021935.tif 000004
【図３】
2010021935.tif 000005
【図４】
2010021935.tif 000006
【図５】
2010021935.tif 000007
【図６】
2010021935.tif 000008
【図７】
2010021935.tif 000009
【図８】
2010021935.tif 000010
【図９】
2010021935.tif 000011
【図１０】
2010021935.tif 000012